(57)【要約】【課題】  自転車を広告媒体とするための構造を提供する。【解決手段】  前後車輪の上部に取り付けられた荷物入れ篭の部分に、フレーム２，３を設け、その外面にテント布、ビニールシート類を取り付けて広告面４としたものである。  後車輪上の広告面は、前車輪上の広告面面よりも高く、且つ、広く形成し、後車輪上の広告面が主体となるように形成されている。【選択図】    図１
0003136161.tif 000002
【実用新案登録請求の範囲】
【請求項１】
通常の自転車に取り付けられている荷台、あるいは、荷物篭取り付け部分を広告宣伝のための構造とした広告媒体用自転車。
【請求項２】
広告宣伝のための構造が、自転車に本来設けられた荷台部分、荷物篭取り付け箇所に、広告宣伝用印刷を施した布製あるいはビニール製シートを取り付ける強化プラスチック製、あるいは軽量金属製の管材から作成したフレームワークを固定したもので、これに、広告宣伝用印刷を施した布製あるいはビニール製シートを取り付ける請求項１に記載の広告媒体用自転車。
【考案の詳細な説明】
【技術分野】
【０００１】
本考案は、専ら、広告宣伝用に用いる自転車に関する。
【背景技術】
【０００２】
近年、広告媒体としての車両が脚光を浴びるようになり、例えば、タクシーにおいては、屋根に広告台を配置したり、車輪カバーを回転しないようにして其処に広告を記載したり、さらには、通常の市内バスの全面に広告のための写真画を施したりしている。
【考案の開示】
【考案が解決しようとする課題】
【０００３】
本願考案は、広告媒体としての自転車を思い立ち、自転車を広告媒体とするに当たっての構造を提供するもので、広告業界自らが広告媒体を通じ環境保全に努め、社会に貢献できる可能性を開拓したものである。
【課題を解決するための手段】
【０００４】
本願考案に係る自転車としては、比較的安定した走行を可能にするためには、通常の２輪自転車よりも、３輪自転車、あるいは４輪自転車、それも、予め篭を前後に取り付けた３輪自転車が、フレームワークを固定するのに都合が良い。
【０００５】
自転車については通常の3輪自転車が安全面や環境保全においても有効であるが、モーター付き3輪自転車も活用できる。
【０００６】
この広告宣伝のための構造としては、通常の自転車に取り付けられている荷台、あるいは、荷物篭取り付け部分を広告宣伝のための構造とする。例えば、広告宣伝を施した立体構造体を自転車の荷台部分、荷物篭取り付け箇所に取り付けることもできるが、自転車に本来設けられた荷台部分、荷物篭取り付け箇所に、強化プラスチック製、あるいは軽量金属製の管材から作成したフレームワークを固定し、これに、広告宣伝用印刷を施した布製あるいはビニール製シートを取り付ける構造とすることもできる。
【０００７】
そして、広告宣伝用印刷シートなどを取り付けるフレームの内部のスペースを活用し、その広告宣伝に関する物品サンプル、資料チラシなどを軽量の範囲で搭載可能とする。
【０００８】
広告宣伝用印刷シート類とフレームへの取り付けに際しては、軽量かつ容易にとりつけができるように、シート四隅などに適宜、円形のカットを行い、カットした円形部分にフレームとシートをつなぐ帯状または紐状の資材を通して取り付けを行い、取り外しも容易になるようにする。この形式はフレーム全体をシート類で覆ってしまうことがなく交通走行中における風の抵抗を緩和するものである。
【０００９】
広告宣伝用印刷シートなどを取り付けるフレームは、自転車から取り外すことができ、 布製、ビニール製などのシートでの広告宣伝だけでなく商品などのイメージ人形、商品模型など立体的構造物を取り付けることができるようにする。
【考案の効果】
【００１０】
本願考案の広告媒体用自転車は、街頭で非常に目立つ広告媒体とすることができ、宣伝対象の品位を傷つけることなく広告宣伝効果を挙げることができる。
【００１１】
タクシー、バスとは違い、ＣＯ２ガス削減、交通環境緩和などの環境保全に努めながらの広告媒体とすることができる。
【００１２】
交通環境の緩和、環境保全に努める旨の表示を自転車に装着し広告宣伝効果の狙いのほかに社会貢献の啓蒙媒体としての機能も併せ持つものである。
【考案を実施するための最良の形態】
【００１３】
以下、本考案を後ろ側が２輪とした３輪自転車に適用した実施例によって本考案の実施形態を説明する。
【実施例】
【００１４】
図１は、本考案の広告宣伝用自転車の実施例１０であって、広告宣伝スペースをサドル１の前後に配置した３輪車の斜視図を示す。
【００１５】
同図に示す３輪車は市販のもので、前後車輪の上部に取り付けられた荷物入れ篭の部分に、フレーム２，３を設け、その外面にテント布、ビニールシート類を取り付けて広告面４としたものである。  後車輪上の広告面は、前車輪上の広告面面よりも高く、且つ、広く形成し、後車輪上の広告面が主体となるように形成されている。
【００１６】
図２は、前車輪上に広告宣伝面を形成するためのフレーム２を示す。このフレームは
１．６ｃｍ径以下の軽量管材、例えばアルミニウム管から形成され、このフレームを元来の篭位置の車体部分にボルト止め５されている。
【００１７】
図３は、後車輪上に広告宣伝面を形成するためのフレーム３の取り付け要領を示す。この後車輪上のフレーム３も、前車輪のためのフレーム２の取り付けの場合と同様に、通常、３輪自転車の後車輪上に取り付けられている荷物篭の取り付け台を利用してボルト止め５されている。
【００１８】
この広告宣伝用印刷シートなどを取り付けるフレーム２，３は自転車積載物の規格サイズに適合するもので、その造作物においてもそのサイズ、重量を超えないものとする必要がある。
【００１９】
また、このフレームは、その内部スペースを利用して、運搬用荷物の収納スペースとすることができる。フレームの形状においては積載物の規格サイズに適合するもので、交通の安全を勘案して突起部位を無くし、全体的に緩やかな弧を描いており、そのスタイリングは広告物の品位を落とさないもので独自のフォルムとする。そして、広告宣伝用印刷シート類のフレーム２，３への取り付けにおいては、軽量かつ容易にとりつけ可能とするために、シート四隅などに適宜、円形のカットを行い、カットした円形部分にフレームとシートをつなぐ帯状または紐状の資材を通して取り付けを行い、取り外しも容易になるようにする。この形式はフレーム全体をシート類で覆ってしまうことがなく交通走行中における風の抵抗を緩和する。
【００２０】
図４は、広告面を形成するシート６をフレーム３に取り付け要領を拡大図とともに示す。この図に示すように、広告のためのシート６の周囲には取り付け穴７が設けられ、専用のバンド８によってフレーム３によって固定される。
【図面の簡単な説明】
【００２１】
【図１】本考案の広告宣伝用自転車の実施例を示す。
【図２】前輪上に形成されるフレームを示す。
【図３】後車輪上に広告宣伝面を形成するためのシートのフレームへの取り付け要領を示す。
【図４】広告面を形成するシートのフレームへの取り付け要領を示す。
【符号の説明】
【００２２】
１        自転車のサドル
２、３    フレーム
４        広告面
５        ボルト止め
６        シート
７        取り付け穴
８        取り付けバンド
１０      広告宣伝用自転車
【図１】
0003136161.tif 000003
【図２】
0003136161.tif 000004
【図３】
0003136161.tif 000005
【図４】
0003136161.tif 000006
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
通常の自転車に取り付けられている荷台、あるいは、荷物篭取り付け部分に、広告宣伝用の印刷を施した布製あるいはビニール製シートを取り付けるための強化プラスチック製、あるいは軽量金属製の管材から作成したフレームワークを固定した広告媒体用自転車。
【請求項２】
強化プラスチック製、あるいは軽量金属製の管材から作成した広告宣伝用の印刷を施した布製あるいはビニール製シートの取り付けを前記シートにカットした円形部分を形成し、フレームワークとこの円形部分を帯状または紐状の資材によってつなぐことによって行う請求項１に記載の広告媒体用自転車。